(57)【特許請求の範囲】
【請求項１】
太径部分であるバット部と、該バット部に連設されて徐々に直径が小さくなる部分であるテーパー部と、該テーパー部に連接された細径部分であるティペット部とからなり、前記バット部の長さが６〜１０ｍであり、前記テーパー部の長さが１〜１０ｍであり、前記ティペット部の長さが６〜１５ｍであり、かつ全長が１８〜３０ｍである投げ釣り用力糸。
【請求項２】
前記バット部の繊度が１０００〜４０００ｄｔｅｘであり、前記ティペット部の繊度が５０〜１０００ｄｔｅｘであり、かつバット部の繊度がティペット部の繊度の２倍以上である請求項１記載の投げ釣り用力糸。
【請求項３】
超高分子量ポリエチレン繊維、ポリアミド繊維及びポリフッ化ビニリデン繊維からなる群から選択される少なくとも一種の繊維からなる請求項１又は２記載の投げ釣り用力糸。
【請求項４】
超高分子量ポリエチレン繊維のマルチフィラメント糸を複数本組み上げてなり、該マルチフィラメント糸の一部を途中で切断することによって繊度を減じてテーパー部を形成してなる請求項３記載の投げ釣り用力糸。
【発明の詳細な説明】
【０００１】
【発明の属する技術分野】
本発明は、投げ釣り用力糸に関する。さらに詳しくは、バット部、テーパー部及びティペット部からなる遠投性に優れた投げ釣り用力糸に関する。
【０００２】
【従来の技術】
投げ釣りのキャスティング時の衝撃で釣糸が切断するのを防止するために、道糸の先端部分に道糸よりも太径の釣糸が連設される。このとき、道糸と先端の太径部分との境界で急激に糸径が変化しないように、両者の間を直径が徐々に変化するテーパー状の釣糸で接続するのが一般的である。
【０００３】
特開平９−２６２０４７号公報には、一定の溶融粘度のフッ化ビニリデン系重合体からなるテーパーモノフィラメントであって、テーパー部の長さが５〜１５ｍであり、テーパー部の小径側端部の直径が０．１０ｍｍ以上であり、大径側端部の直径が１．０ｍｍ以下であり、バット部の長さが５〜１０ｍであるポリフッ化ビニリデン系投げ釣り用テーパー釣糸が記載されている。当該投げ釣り用テーパー釣糸は、細い道糸を使用してガイドや空気との抵抗を小さくして遠投を可能にできるとともに、バット部を太くすることによってキャスティング時の衝撃による糸切れを防止することができる。
【０００４】
このとき、テーパー部やバット部の長さがそれぞれ１５ｍや１０ｍを超えたのでは、太い直径の部分において釣り竿のガイドや空気との抵抗が大きくなり、遠投を阻害するとされている。また一方、テーパー部やバット部の長さがそれぞれ５ｍ未満と短すぎる場合にはキャスティング時の衝撃を十分に吸収しきれず、糸切れが発生することがあるとされている。また、当該公報に記載されているテーパー釣糸はテーパー端部のうちの小径側端部側に、それと同一直径の均一直径小径部が結束部を有することなく１５０〜２５０ｍの長さで連設されていても良いとされていて、そうすることによって結束による釣糸の強度低下がなく、キャスティング時に結束部が竿ガイドに引っ掛かることもないため、糸とガイドとの抵抗も軽減され飛距離が伸びて、投げ釣り用テーパー道糸として好適である旨が記載されている。実施例では、７ｍのバット部、６ｍのテーパー部に２００ｍの道糸が連設された構成の投げ釣り用テーパー釣糸が記載されている。
【０００５】
特開平８−２８９７０８号公報には、複数本のフィラメント繊維によって組み上げられているテーパー状釣糸であって、前記複数本のフィラメント繊維のうち一部のフィラメント繊維が切断されフィラメント数を減ずることで釣糸の長さ方向に径が小さくされており、かつ切断部分が芯糸として組み込まれていることを特徴とするテーパー状釣糸が記載されている。当該公報の実施例１では、全長が１３ｍで、バット部が７ｍ、ティペット部が１．５ｍの超高分子量ポリエチレン繊維からなる投げ釣り用力糸が記載されており、当該力糸は飛翔性及び衝撃吸収性に優れているとされている。
【０００６】
【発明が解決しようとする課題】
特開平９−２６２０４７号公報に好適な態様として記載されているように、バット部に連設されたテーパー部の先端部が結び目なしに２００ｍ程度の道糸と直接連設された構成とするのが、糸切れなく遠投できる点では好ましいことは事実である。しかしながら実際の投げ釣りの現場においては、それでもなおキャスティング時に糸切れすることがあるし、根がかりや障害物との摩擦などによって糸の先端部分が切断することは避けられない。このような場合に、２００ｍ程度の長い道糸を全量交換するのは経済的ではなく、交換作業も煩雑である。したがってこのような場合には、道糸の先端に力糸を結び付けてから投げ釣りを継続する場合が多い。ところがこの場合には、当該公報中でも説明されているように、テーパー部と道糸との結び目がキャスティング時に竿ガイドに引っ掛かり、糸とガイドとの抵抗が増大して、飛距離が低下するおそれがある。
【０００７】
また特開平８−２８９７０８号公報の実施例１に記載された釣り糸は、全長が１３ｍで、バット部が７ｍ、ティペット部が１．５ｍの投げ釣り用力糸である。このような力糸は道糸に結ばれて使用されるが、この場合にも、結び目が竿のガイドに引っ掛かったり、結び目とガイドとの抵抗が増加したりして、遠投を阻害するおそれがあった。
【０００８】
本発明は、上記課題を解決するためになされたものであり、投げ釣りのキャスティング時に糸切れなく遠投することのできる、投げ釣り用力糸を提供するものである。
【０００９】
【課題を解決するための手段】
上記課題は、太径部分であるバット部と、該バット部に連設されて徐々に直径が小さくなる部分であるテーパー部と、該テーパー部に連接された細径部分であるティペット部とからなり、前記バット部の長さが６〜１０ｍであり、前記テーパー部の長さが１〜１０ｍであり、前記ティペット部の長さが６〜１５ｍであり、かつ全長が１８〜３０ｍである投げ釣り用力糸を提供することによって解決される。
【００１０】
このとき、前記バット部の繊度が１０００〜４０００ｄｔｅｘであり、前記ティペット部の繊度が５０〜１０００ｄｔｅｘであり、かつバット部の繊度がティペット部の繊度の２倍以上であることが好適である。
【００１１】
好適な実施態様では、本発明の投げ釣り用力糸は、超高分子量ポリエチレン繊維、ポリアミド繊維及びポリフッ化ビニリデン繊維からなる群から選択される少なくとも一種の繊維からなるものである。また、より好適な実施態様では、超高分子量ポリエチレン繊維のマルチフィラメント糸を複数本組み上げてなり、該マルチフィラメント糸の一部を途中で切断することによって繊度を減じてテーパー部を形成してなる投げ釣り用力糸である。
【００１２】
【発明の実施の形態】
本発明の投げ釣り用力糸は、太径部分であるバット部と、該バット部に連設されて徐々に直径が小さくなる部分であるテーパー部と、該テーパー部に連接された細径部分であるティペット部とからなるものである。ここで力糸とは、投げ釣り時に、道糸の先端に結び付けられて使用されるものであって、当該力糸の先端部には仕掛けが接続されるものである。
【００１３】
ここで、バット部とは実質的に均一な繊度の太径部分であって、その先端部に仕掛けが接続される部分である。ティペット部とは実質的に均一な繊度の細径部分であって、その先端部に道糸が結び付けられる部分である。また、テーパー部とは、バット部とティペット部の間に配置され、バット部側からティペット部側に徐々に繊度が小さくなる部分である。バット部、テーパー部及びティペット部は、この順番に結び目なく連続しているものである。
【００１４】
本発明の投げ釣り用力糸は、その全長が１８〜３０ｍであることを特徴とするものである。これまでに市販されている力糸のほとんどはその全長が１５ｍ以下であるが、それはバット部分に要求される長さと、テーパー部分に要求される長さだけを考慮して設計した結果の長さである。そこでは不必要に長い力糸は経済的ではなく、取り付け作業も煩雑になるだけであると考えられていた。ところが、本発明者らが鋭意検討した結果、力糸の全長を長くすることによって遠投性が改善されることが明らかになったものである。
【００１５】
投げ釣りにおいて少しでも長い飛距離を望むのは釣り人の心理であるが、飛距離を長くするほど、キャスティング時のリリース直前には大きな引張力が糸に係ることになる。その結果、リリースの瞬間には、その直前まで糸に係っていた大きな引張力が瞬間的に解消されながら、糸が繰り出されていくことになる。このとき、引張応力の解消に伴って、糸は反動によって急激に収縮し、それによって瞬間的にリールから糸が引き出される。こうしてリールから繰り出される速度は、驚くべきことに、一時的には仕掛けが飛行していく速度よりも大きくなるのである。そのため、キャスティング直後のリールからの糸の繰り出し速度が仕掛けの飛行速度よりも大きくなり、その結果リールから元ガイドまでの間や、各ガイドの間で釣り糸がダブつき、激しく絡み合い、暴れながら各ガイドを通過することになる。このとき、結び目が存在すると、糸同士の絡み合い、糸とガイドとの絡み合いあるいは糸とガイドや竿との接触抵抗の増加に対して大きな悪影響を与える。特に、飛距離を長くしようとするほどこの傾向は顕著である。
【００１６】
本発明の投げ釣り用力糸は、力糸の先端から１８ｍ以上のところまで糸が通過してから、初めて結び目がガイドを通過するようにしたものである。すなわち、キャスティング時において、リリース直後の糸の一時的なダブつき状態が解消し、仕掛けに引っ張られてスムーズに糸が繰り出されるようになった頃に、結び目がガイドを通過するようにするものである。すなわち、全長を１８ｍ以上にすることによって、ガイドへの釣り糸の引っ掛かりや、ガイドへの接触抵抗が減少し、遠投性を改善できるものである。一方、全長が３０ｍを超えたのでは、道糸の先端部に付け替えて使用する力糸としては経済的ではなく、付け替えの操作も煩雑になるだけであって好ましくない。より好適には全長は２５ｍ以下である。
【００１７】
本発明の投げ釣り用力糸におけるバット部の長さは６〜１０ｍであることが好ましい。投げ釣り用の釣り竿は通常４〜５ｍ程度であり、リールの取り付け位置やキャスティング時に竿先から垂らす長さなどを考慮すれば上記範囲とすることが好ましい。１０ｍを超える場合にはキャスティング時の空気抵抗やガイドとの接触抵抗が大きくなり、飛距離が低下するおそれがあり、より好適には９ｍ以下である。一方、６ｍ未満の場合にはキャスティング時に指を掛ける位置がテーパー部になってしまう場合があり、より好適には７ｍ以上である。
【００１８】
本発明の投げ釣り用力糸におけるティペット部の長さは６〜１５ｍであることが好ましい。これまで市販されてきた多くの投げ釣り用力糸においては、このようなティペット部を実質的に有さないものがほとんどであったが、本発明においては、ティペット部を有し、かつその長さを６ｍ以上にすることが好適である。この部分には通常道糸と大差のない細い糸が使用されることが多いことから、空気抵抗又はガイドとの接触抵抗を受けにくいため、この部分が長くなっても遠投性は阻害されない。上述のように力糸全体の長さを１８ｍ以上にすることが本発明では重要であるが、全体の長さのうちティペット部の長さを長くすることが、全体として遠投性が阻害されなくて好ましい。実質的に道糸と同程度の太さの部分が延長されるだけのことによって、遠投性が改善できることは驚くべきことである。
【００１９】
本発明の投げ釣り用力糸におけるテーパー部の長さは１〜１０ｍであることが好ましい。糸径が急激に変化すると、衝撃に対する耐性が低下することから、一定長さをかけて徐々に糸径が変化することが好ましく、その点からはテーパー部の長さは１ｍ以上であることが好ましく、より好適には２ｍ以上である。一方、テーパー部が長すぎると不必要に空気やガイドとの抵抗を増やすだけであるので１０ｍ以下であることが好ましく、より好適には８ｍ以下であり、さらに好ましくは６ｍ以下である。本発明の投げ釣り用力糸は特に長距離の遠投をする場合に有効であるから、その点からテーパー部は短めに設定することが好ましい。
【００２０】
バット部の繊度は１０００〜４０００ｄｔｅｘであることが、飛距離とキャスティング時の糸切れ防止のバランスから好ましい。繊度が１０００ｄｔｅｘ未満である場合にはキャスティング時に糸切れするおそれがあり、好適には１４００ｄｔｅｘ以上であり、さらに好適には１８００ｄｔｅｘ以上である。繊度が４０００ｄｔｅｘを超える場合には空気やガイドとの抵抗が大きくなりすぎるため、遠投性が低下する場合があり、より好適には２５００ｄｔｅｘ以下である。
【００２１】
ティペット部の繊度は５０〜１０００ｄｔｅｘであることが好ましい。繊度が小さすぎると、掛かった魚の取り込み時などに切断するおそれがあり、より好適には１００ｄｔｅｘ以上である。一方繊度が大きすぎると、空気抵抗が増加して遠投性が低下するとともに、ガイド通過時にも糸が抵抗を受けやすくなる。直径が細い部分ではリールから糸がスムーズに繰り出されやすく、結び目がガイドを通過するときに、より安定した繰り出し状況にできるからである。ティペット部の繊度は、７５０ｄｔｅｘ以下であることがより好ましく、特に長距離のキャスティングを可能にするには、５００ｄｔｅｘ以下であることがさらに好ましい。
【００２２】
バット部の繊度は、ティペット部の繊度の２倍以上であることが好ましい。特に遠投性を重視するのであれば５倍以上であることがより好ましい。なお、通常は３０倍以下である。
【００２３】
本発明の投げ釣り用力糸の素材は特に限定されず、合成樹脂からなる各種の繊維を原料とすることができる。なかでも、超高分子量ポリエチレン繊維、ポリアミド繊維及びポリフッ化ビニリデン繊維からなる群から選択される少なくとも一種の繊維からなるものが好適である。
【００２４】
ポリアミド繊維は成形加工の容易さや原料コストの面から好適に使用される。またポリフッ化ビニリデン繊維は、高比重であって潮の流れや風の影響を受けにくく、吸水の影響も受けにくいことから、好適に使用される。ポリアミド繊維やポリフッ化ビニリデン繊維の場合には、通常モノフィラメントの形態で、繊度を変化させて投げ釣り用力糸とすることが好ましい。これらのモノフィラメントからなる力糸は、溶融押出成形において単位時間当たりの吐出量を調整することで太さの異なる原糸を押出してから、引き続いて延伸処理する方法などにより製造することができる。
【００２５】
本発明の投げ釣り用力糸の素材として最も好適なものは超高分子量ポリエチレン繊維からなるものである。この場合の好適な実施態様は、超高分子量ポリエチレン繊維のマルチフィラメント糸を複数本組み上げてなり、該マルチフィラメント糸の一部を途中で切断することによって繊度を減じてテーパー部を形成してなる投げ釣り用力糸である。当該超高分子量ポリエチレン繊維を使用する利点の一つは、同一繊度で比較した場合に、前記ポリアミド繊維やポリフッ化ビニリデン繊維よりも破断強度が大きいために、より細い糸を使用しても切れにくいことである。また、マルチフィラメント糸であるから柔軟性に優れていて、ガイドとの接触抵抗が小さくなり、スムーズにガイド内を通過することができるからである。なお、マルチフィラメント糸の原料としては、前記超高分子量ポリエチレン繊維が好適であるが、他にも、ポリアリレート繊維、アラミド繊維、ポリフェニレンエーテル繊維、液晶ポリマー繊維、炭素繊維等を材料とする各種の高強度繊維も超高分子量ポリエチレン繊維同様に使用することができる。
【００２６】
このような力糸は、複数のマルチフィラメント糸を紐状に編み込みながらバット部を形成し、１本又は複数本のマルチフィラメント糸を切断して、編み込む本数を減じてから更に編み込み、更に減じて編み込み、という操作を繰り返してテーパー部を形成し、最終的にティペット部の太さに対応する本数になった後で一定本数での編み込みを継続してティペット部を形成して製造される。このとき、ティペット部は１本のマルチフィラメント糸のみからなるものであっても良い。また、テーパー部が、バット部の繊度とティペット部の繊度との中間の実質的に均一な繊度の部分のみで形成されていても良い。しかしながら、この場合には繊度が変化する部分での段差が大きくなり、衝撃に対する耐性が低下したり、段差にゴミが引っ掛かったりしやすくなるので、テーパー部が２以上の異なる繊度の部分で構成されることが好ましい。
【００２７】
こうして製造された本発明の投げ釣り用力糸は、そのティペット部先端を道糸に結び付け、またそのバット部先端に仕掛けを取り付けて投げ釣りに供される。本発明の投げ釣り用力糸を用いることで、長距離のキャスティングが可能になるので、広い範囲のポイントに対応することができて好ましい。また、特に長距離のキャスティングに適しているので、通常の海釣りのみならずキャスティングの競技会用にも好適に使用することができる。
【００２８】
【実施例】
以下、実施例を用いて本発明をさらに説明する。
実施例１
原料のマルチフィラメント糸として、繊度が５０デニール（５６ｄｔｅｘ）のものを４本、３００デニール（３３３ｄｔｅｘ）のものを１本、４００デニール（４４４ｄｔｅｘ）のものを２本及び５００デニール（５５６ｄｔｅｘ）のものを１本準備した。これらはいずれも東洋紡株式会社製超高分子量ポリエチレン繊維の「ダイニーマ」である。これら８本のマルチフィラメント糸を公知のスピンドル丸紐組編装置を使用して組み上げた。
【００２９】
まず、上記８本全部のマルチフィラメント糸を組み上げて、合計の繊度が１８００デニール（２０００ｄｔｅｘ）の均一な繊度のバット部を８ｍ組み上げた。バット部が組み上がったところで、引き続きテーパー部を組み上げた。まず、４００デニール（４４４ｄｔｅｘ）のマルチフィラメント糸を１本切断して７本で１４００デニール（１５５６ｄｔｅｘ）のものを２ｍ組み上げた。そこで５００デニール（５５６ｄｔｅｘ）のマルチフィラメント糸を１本切断して６本で９００デニール（１０００ｄｔｅｘ）のものを１ｍ組み上げた。そこでさらに４００デニール（４４４ｄｔｅｘ）のマルチフィラメント糸を１本切断して５本で５００デニール（５５６ｄｔｅｘ）のものを１ｍ組み上げ、ここまででテーパー部を形成した。さらにそこで３００デニール（３３３ｄｔｅｘ）のマルチフィラメント糸を１本切断し、そこからは４本で２００デニール（２２２ｄｔｅｘ）のものを８ｍ組み上げて、これをティペット部とした。図１及び表１に本実施例の投げ釣り用力糸の構成を示す。
【００３０】
実施例２
原料のマルチフィラメント糸として、繊度が１００デニール（１１１ｄｔｅｘ）のものを４本、２００デニール（２２２ｄｔｅｘ）のものを１本、３００デニール（３３３ｄｔｅｘ）のものを１本、４００デニール（４４４ｄｔｅｘ）のものを１本及び５００デニール（５５６ｄｔｅｘ）のものを１本準備した。これを用いて実施例１と同様に投げ釣り用力糸を組み上げた。表１に本実施例の投げ釣り用力糸の構成を示す。本実施例では、ティペット部の繊度が実施例１の２倍である点が、実施例１との主な相違点である。
【００３１】
比較例１
実施例１と同じ原料のマルチフィラメント糸を用いて、各部の長さを変化させて組み上げた以外は実施例１と同様にして投げ釣り用力糸を組み上げた。表１に本比較例の投げ釣り用力糸の構成を示す。本比較例では、ティペット部が１．５ｍと短く、全長も１３ｍと短い点が実施例１との主な相違点である。
【００３２】
比較例２
実施例２と同じ原料のマルチフィラメント糸を用いて、各部の長さを変化させて組み上げた以外は実施例２と同様にして投げ釣り用力糸を組み上げた。表１に本比較例の投げ釣り用力糸の構成を示す。本比較例では、ティペット部が１．５ｍと短く、全長も１３ｍと短い点が実施例２との主な相違点である。
【００３３】
【表１】
0003880886.tif 000002
【００３４】
キャスティング性能評価
実施例１、２及び比較例１、２で作成した４種類の投げ釣り用力糸を使用して、キャスティング試験を行った。１４人のトップキャスター（投げ釣り名人）をモニターとし、４ｍの投げ竿を用いてキャスティング試験を行った。実施例１及び比較例１で作成した力糸のティペット部の先端を２００デニール（２２２ｄｔｅｘ）の超高分子量ポリエチレン繊維からなる道糸に結び付け、バット部の先端に２５号のおもりを結び付けてキャスティングを行った。また、実施例２及び比較例２で作成した力糸のティペット部の先端を４００デニール（４４４ｄｔｅｘ）の超高分子量ポリエチレン繊維からなる道糸に結び付け、バット部の先端に３０号のおもりを結び付けてキャスティングを行った。
【００３５】
その結果、全てのモニターが比較例１の力糸に比べて実施例１の力糸の方が、また比較例２の力糸に比べて実施例２の力糸の方が遠投性に優れていて飛距離が出ると評価した。
【００３６】
また、全てのモニターが、実施例１及び２の力糸を使用してキャスティングしたときの方が、比較例１及び２の力糸を使用してキャスティングしたときに比べて、キャスティング直後に糸がガイドや竿本体に接触して発生する異音が低下したと評価した。このことは、本発明の力糸を使用した場合に、キャスティング直後における糸のガイド通過がスムーズであることを示しているものである。
【００３７】
【発明の効果】
本発明の投げ釣り用力糸は、力糸の先端から１８ｍ以上のところまで糸が通過してから初めて結び目がガイドを通過するようにしたことにより、ガイドへの釣り糸の引っ掛かりや、ガイドへの接触抵抗が減少し、遠投性が向上したものである。それにより、投げ釣りのキャスティング時に糸切れすることなく、スムーズにしかも長距離のキャスティングを行うことができるものである。
【図面の簡単な説明】
【図１】本実施例の投げ釣り用力糸の構成を示す。
【図１】
0003880886.tif 000003